(57)【要約】【課題】  操作者の音声に応じて画像を連続的にスムーズに変化させることを可能とする。【解決手段】  音声認識部１６は、例えば「ヅー」のような操作用音声の発声を検出する。表示制御部１８および表示器駆動部１２は、操作用音声の発声が検出されている間に、表示器１１に表示されている画像を連続的に変化させるべく表示器１１を制御する。【選択図】      図１
2005328963.tif 000002
【特許請求の範囲】
【請求項１】
表示器に画像を表示させる画像ビューワであって、
操作用音声の発声を検出する検出手段と、
前記検出手段により発声が検出されている間に、前記画像を連続的に変化させるべく前記表示器を制御する制御手段とを具備したことを特徴とする画像ビューワ。
【請求項２】
前記制御手段は、前記検出手段により発声が検出されている間に、再生速度の変更、駒送り、輝度レベルの変更、コントラストレベルの変更、表示倍率の変更、または表示範囲の移動を行なうように前記表示器を制御することを特徴とする請求項１に記載の画像ビューワ。
【請求項３】
操作者が発した音声を入力する手段と、
前記音声を記憶する記憶手段とをさらに備え、
前記検出手段は前記記憶手段に記憶された音声の発声を前記操作用音声の発声として検出することを特徴とする請求項１に記載の画像ビューワ。
【請求項４】
前記操作用音声の音調を判定する手段をさらに備え、
前記制御手段は、前記音調の高低に応じて前記画像を変化させる割合を変更することを特徴とする請求項１に記載の画像ビューワ。
【発明の詳細な説明】
【技術分野】
【０００１】
本発明は、医用画像などの画像を表示器に表示させる画像ビューワに関する。
【背景技術】
【０００２】
操作者の音声に基づいて機構を動作させるようにしたＸ線診断装置が特許文献１に開示されている。そして特許文献１には例えば、「モニター輝度アップ」との音声に応じてモニターの輝度をアップさせることが開示されている。
【特許文献１】特開平９−２２０２１８号公報
【発明の開示】
【発明が解決しようとする課題】
【０００３】
しかしながら特許文献１の技術によると、連続的にモニターの輝度を変化させたい場合には、操作者は「モニター輝度アップ」との音声を繰り返し発しなければならない。このため、輝度の連続的な変更をスムーズに行なうことができない。
【０００４】
本発明はこのような事情を考慮してなされたものであり、その目的とするところは、操作者の音声に応じて画像を連続的にスムーズに変化させることができる画像ビューワを提供することにある。
【課題を解決するための手段】
【０００５】
以上の目的を達成するために本発明は、表示器に画像を表示させる画像ビューワであって、操作用音声の発声を検出する検出手段と、前記検出手段により発声が検出されている間に、前記画像を連続的に変化させるべく前記表示器を制御する制御手段とを備えた。
【発明の効果】
【０００６】
本発明によれば、操作者の音声に応じて画像を連続的にスムーズに変化させることが可能となる。
【発明を実施するための最良の形態】
【０００７】
以下、図面を参照して本発明の実施形態について説明する。  
図１は本実施形態に係る画像ビューワ１の構成を示すブロック図である。  
画像ビューワ１は、Ｘ線診断装置２により撮影されて画像サーバ３に蓄積されている医用画像をＬＡＮ４を介して取得して表示する。この画像ビューワ１が表示する画像は、静止画像および動画像のいずれでも良い。
【０００８】
この画像ビューワ１は、表示器１１、表示器駆動部１２、マイクロホン１３、音声登録部１４、記憶部１５、音声認識部１６、コンソール１７および表示制御部１８を含む。
【０００９】
表示器１１は、例えば液晶表示デバイスなどを用いてなり、医用画像を表示する。表示器１１を画像ビューワ１に備えずに、汎用の表示装置を画像ビューワ１に接続するようにしても良い。表示器駆動部１２は、画像サーバ３から画像データを取得して、この画像データに応じた画像表示を行うように表示器１１を駆動する。
【００１０】
マイクロホン１３は、操作者が発した音声を入力する。マイクロホン１３を画像ビューワ１に備えずに、汎用のマイクロホンを画像ビューワ１に接続するようにしても良い。音声登録部１４は、登録モード時に操作者が発した音声を、操作用音声として記憶部１５に書き込む。記憶部１５は、半導体メモリやハードディスクなどの記憶媒体を含む。記憶部１５は、操作用音声として登録された音声を記憶する。音声認識部１６は、マイクロホン１３で入力された音声を記憶部１５に記憶された操作用音声と照合して、操作者の指示を判定する。
【００１１】
コンソール１７は、例えば図２に示すように各種のキーや速度調整リングおよびコマ送りジョグダイヤルを備え、画像表示の制御に関わる操作者の指示を入力する。
【００１２】
表示制御部１８は、音声認識部１６で判定された操作者指示やコンソール１７で入力された操作者指示に応じて表示画像の制御を行うべく表示器駆動部１２を制御する。
【００１３】
なお、画像ビューワ１は、例えば汎用のコンピュータ装置を利用して実現することができる。この場合に表示器駆動部１２、音声登録部１４、音声認識部１６および表示制御部１８は、例えばビューワプログラムを上記のコンピュータ装置に搭載されたプロセッサに実行させることにより実現が可能である。
【００１４】
次に以上のように構成された画像ビューワ１の動作について説明する。なお、画像サーバ３から画像を取得して表示器１１に表示するための動作は、従来よりある同種のビューワと同様であるので説明を省略する。ここでは、操作者が発声した音声により表示中の画像の制御の動作を表示制御部１８の処理手順を中心として説明する。
【００１５】
図３は音声に基づく表示中画像の制御のための表示制御部１８の処理手順を示すフローチャートである。  
ステップＳａ１において表示制御部１８は、マイクロホン１３からの音声入力が音声認識部１６で検出されるのを待ち受ける。音声入力が検出されたならば、表示制御部１８はステップＳａ１からステップＳａ２へ進む。
【００１６】
ステップＳａ２において表示制御部１８は、上記の入力された音声に関する音声認識部１６の認識結果を確認する。入力された音声が「ソクドチョウセイ」であったならば、すなわち操作者が「ソクドチョウセイ」と発声したのならば、表示制御部１８はステップＳａ２からステップＳａ３へ進む。ステップＳａ３において表示制御部１８は、表示速度変更処理を実行する。
【００１７】
図４は表示速度変更処理における表示制御部１８の処理手順を示すフローチャートである。  
ステップＳｂ１において表示制御部１８は、マイクロホン１３からの音声入力が音声認識部１６で検出されるのを待ち受ける。
【００１８】
音声入力が検出されたならば、表示制御部１８はステップＳｂ１からステップＳｂ２へ進む。ステップＳｂ２において表示制御部１８は、上記の入力された音声に関する音声認識部１６の認識結果を、すなわち操作者が発声した内容を確認する。操作者が「プラス」と発声したのならば、表示制御部１８はステップＳｂ２からステップＳｂ３へ進む。ステップＳｂ３において表示制御部１８は、変更方向を増加方向に設定し、ステップＳｂ１の待ち受け状態に戻る。
【００１９】
これに対して操作者が「マイナス」と発声したのならば、表示制御部１８はステップＳｂ２からステップＳｂ４へ進む。ステップＳｂ４において表示制御部１８は、変更方向を減少方向に設定し、ステップＳｂ１の待ち受け状態に戻る。
【００２０】
さて、操作者が「ヅー」と発声したならば、表示制御部１８はステップＳｂ２からステップＳｂ５へ進む。ステップＳｂ５において表示制御部１８は、画像の表示速度を変更方向（増加方向または減少方向）に変更し始めるように表示器駆動部１２に指令する。この指令を受けると表示器駆動部１２は、予め定められた度合いで表示速度を増加または減少する。
【００２１】
この状態にてステップＳｂ６において表示制御部１８は、「ヅー」なる音声の入力が終了するのを待ち受ける。そして終了したならば、表示制御部１８はステップＳｂ６からステップＳｂ７へ進む。ステップＳｂ７において表示制御部１８は、表示速度の変更を停止するように表示器駆動部１２に指令する。こののちに表示制御部１８は、ステップＳｂ１の待ち受け状態に戻る。
【００２２】
このように、操作者が「ヅー」と発声している間、画像の表示速度が連続的に加速または減速される。操作者が「ヅー」の発声を止めれば、そのときの表示速度に固定される。
【００２３】
操作者が「シュウリョウ」と発声したならば、表示制御部１８はこの表示速度変更処理を終了する。表示速度変更処理を終了したならば表示制御部１８は、図３のステップＳａ１の待ち受け状態に戻る。
【００２４】
さらに、表示制御部１８がステップＳｂ１の待ち受け状態にあるときに操作者が「ヅ」と発声した場合に、表示速度を一定量のみ変更方向に変更するようにしても良い。また操作者が「ハヤク」と発声した場合に表示速度を一定量増加し、「オソク」と発声した場合に表示速度を一定量減少するようにしても良い。
【００２５】
さて、表示制御部１８がステップＳａ１の待ち受け状態にあるときに操作者が「コマオクリ」と発声したのならば、表示制御部１８はステップＳａ２からステップＳａ４へ進む。ステップＳａ４において表示制御部１８は、コマ送り処理を実行する。
【００２６】
図５はコマ送り処理における表示制御部１８の処理手順を示すフローチャートである。  
ステップＳｃ１において表示制御部１８は、マイクロホン１３からの音声入力が音声認識部１６で検出されるのを待ち受ける。
【００２７】
音声入力が検出されたならば、表示制御部１８はステップＳｃ１からステップＳｃ２へ進む。ステップＳｃ２において表示制御部１８は、上記の入力された音声に関する音声認識部１６の認識結果を、すなわち操作者が発声した内容を確認する。操作者が「プラス」と発声したのならば、表示制御部１８はステップＳｃ２からステップＳｃ３へ進む。ステップＳｃ３において表示制御部１８は、送り方向を前進方向に設定し、ステップＳｃ１の待ち受け状態に戻る。
【００２８】
これに対して操作者が「マイナス」と発声したのならば、表示制御部１８はステップＳｃ２からステップＳｃ４へ進む。ステップＳｃ４において表示制御部１８は、送り方向を後進方向に設定し、ステップＳｃ１の待ち受け状態に戻る。
【００２９】
さて、操作者が「ヅー」と発声したのならば、表示制御部１８はステップＳｃ２からステップＳｃ５へ進む。ステップＳｃ５において表示制御部１８は、送り方向（前進方向または後進方向）へのコマ送りを開始するように表示器駆動部１２に指令する。この指令を受けると表示器駆動部１２は、予め定められた速度でコマ送りする。このとき、操作者の声の音調を音声認識部１６で判定し、この音調の高低に応じてコマ送りの速度を変化させるように表示制御部１８が表示器駆動部１２に指令するようにしても良い。
【００３０】
この状態にてステップＳｃ６において表示制御部１８は、「ヅー」なる音声の入力が終了するのを待ち受ける。そして終了したならば、表示制御部１８はステップＳｃ６からステップＳｃ７へ進む。
【００３１】
ステップＳｃ７において表示制御部１８は、「ヅー」なる音声の入力が終了してから一定の時間が経過するまでの間に操作者が「ケイゾク」と発声するか否かを確認する。もし操作者が「ヅー」の発声を終了した直後に「ケイゾク」と発声したならば、表示制御部１８はステップＳｃ７からステップＳｃ８へ進む。操作者が「ケイゾク」と発声しなかったならば、表示制御部１８はステップＳｃ７からステップＳｃ９へ進む。
【００３２】
ステップＳｃ８において表示制御部１８は、操作者が「テイシ」と発声するのを待ち受ける。そして操作者が「テイシ」と発声したならば、表示制御部１８はステップＳｃ８からステップＳｃ９へ進む。
【００３３】
ステップＳｃ９において表示制御部１８は、コマ送りを停止するように表示器駆動部１２に指令する。こののちに表示制御部１８は、ステップＳｃ１の待ち受け状態に戻る。
【００３４】
このように、操作者が「ヅー」と発声している間、表示画像のコマ送りが連続的に行われる。また、操作者が「ヅー」の発声を終了した直後に「ケイゾク」と発声すれば、操作者が「テイシ」と発声するまでの間は操作者が「ジー」を発声していなくてもコマ送りが継続される。
【００３５】
表示制御部１８がステップＳｃ１の待ち受け状態にあるときに操作者が「シュウリョウ」と発声したならば、表示制御部１８はこのコマ送り処理を終了する。コマ送り処理を終了したならば表示制御部１８は、図３のステップＳａ１の待ち受け状態に戻る。
【００３６】
さらに、表示制御部１８がステップＳｃ１の待ち受け状態にあるときに操作者が「ヅ」と発声した場合に、１コマのみ変更方向に送るようにしても良い。また操作者が「セイ」と発声した場合に前進方向に１コマ送り、「ギャク」と発声した場合に後進方向に１コマ送るようにしても良い。
【００３７】
表示制御部１８がステップＳａ１の待ち受け状態にあるときに操作者が「ブライトネス」と発声したのならば、表示制御部１８はステップＳａ２からステップＳａ５へ進む。ステップＳａ５において表示制御部１８は、ブライトネス変更処理を実行する。
【００３８】
ブライトネス変更処理は、表示速度変更処理と同様な手順により行われる。ただし、ブライトネス変更処理にて表示制御部１８は、操作者により「ヅー」と発声されている間に輝度レベルを連続的に増加または減少させる。
【００３９】
ブライトネス変更処理が終了したならば表示制御部１８は、図３のステップＳａ１の待ち受け状態に戻る。
【００４０】
さらに、表示制御部１８がステップＳｂ１に相当する待ち受け状態にあるときに操作者が「ヅ」と発声した場合に、輝度レベルを一定量のみ変更方向に変更するようにしても良い。また操作者が「ウエ」と発声した場合に輝度レベルを一定量増加し、「シタ」と発声した場合に輝度レベルを一定量減少するようにしても良い。
【００４１】
表示制御部１８がステップＳａ１の待ち受け状態にあるときに操作者が「コントラスト」と発声したのならば、表示制御部１８はステップＳａ２からステップＳａ６へ進む。ステップＳａ６において表示制御部１８は、コントラスト変更処理を実行する。
【００４２】
コントラスト変更処理は、表示速度変更処理と同様な手順により行われる。ただし、コントラスト変更処理にて表示制御部１８は、操作者により「ヅー」と発声されている間にコントラストレベルを連続的に増加または減少させる。
【００４３】
コントラスト変更処理が終了したならば表示制御部１８は、図３のステップＳａ１の待ち受け状態に戻る。
【００４４】
さらに、表示制御部１８がステップＳｂ１に相当する待ち受け状態にあるときに操作者が「ヅ」と発声した場合に、コントラストレベルを一定量のみ変更方向に変更するようにしても良い。また操作者が「ウエ」と発声した場合にコントラストレベルを一定量増加し、「シタ」と発声した場合にコントラストレベルを一定量減少するようにしても良い。
【００４５】
表示制御部１８がステップＳａ１の待ち受け状態にあるときに操作者が「ズーム」と発声したのならば、表示制御部１８はステップＳａ２からステップＳａ７へ進む。ステップＳａ７において表示制御部１８は、ズーム倍率変更処理を実行する。
【００４６】
ズーム倍率変更処理は、表示速度変更処理と同様な手順により行われる。ただし、ズーム倍率変更処理にて表示制御部１８は、操作者により「ヅー」と発声されている間にズーム倍率を連続的に増加または減少させる。
【００４７】
ズーム倍率変更処理が終了したならば表示制御部１８は、図３のステップＳａ１の待ち受け状態に戻る。
【００４８】
さらに、表示制御部１８がステップＳｂ１に相当する待ち受け状態にあるときに操作者が「ヅ」と発声した場合に、ズーム倍率を一定量のみ変更方向に変更するようにしても良い。また操作者が「ウエ」と発声した場合にズーム倍率を一定量増加し、「シタ」と発声した場合にズーム倍率を一定量減少するようにしても良い。
【００４９】
表示制御部１８がステップＳａ１の待ち受け状態にあるときに操作者が「パン」と発声したのならば、表示制御部１８はステップＳａ２からステップＳａ８へ進む。ステップＳａ８において表示制御部１８は、表示位置変更処理を実行する。
【００５０】
図６は表示位置変更処理における表示制御部１８の処理手順を示すフローチャートである。  
ステップＳｄ１において表示制御部１８は、マイクロホン１３からの音声入力が音声認識部１６で検出されるのを待ち受ける。
【００５１】
音声入力が検出されたならば、表示制御部１８はステップＳｄ１からステップＳｄ２へ進む。ステップＳｄ２において表示制御部１８は、上記の入力された音声に関する音声認識部１６の認識結果を、すなわち操作者が発声した内容を確認する。操作者が方向を指定するコマンドを発声したのならば、表示制御部１８はステップＳｄ２からステップＳｄ３へ進む。ステップＳｄ３において表示制御部１８は、変更方向を上記の発声されたコマンドが示す方向に設定し、ステップＳｄ１の待ち受け状態に戻る。なお、上記のコマンドは、「ミギ」「ヒダリ」「ウエ」「シタ」「ミギウエ」「ミギシタ」「ヒダリシタ」「ヒダリウエ」などである。
【００５２】
さて、操作者が「ヅー」と発声したならば、表示制御部１８はステップＳｄ２からステップＳｄ４へ進む。ステップＳｄ４において表示制御部１８は、画像の表示位置を変更方向（右、左、上、下、右上、右下、左下、左上など）に変更し始めるように表示器駆動部１２に指令する。この指令を受けると表示器駆動部１２は、予め定められた速度で表示位置を変更する。表示位置とは、画像サーバ３に記憶されている画像の一部の範囲のみを表示器１１に表示している場合の上記画像における表示範囲の位置である。
【００５３】
この状態にてステップＳｄ５において表示制御部１８は、「ヅー」なる音声の入力が終了するのを待ち受ける。そして終了したならば、表示制御部１８はステップＳｄ５からステップＳｄ６へ進む。ステップＳｄ６において表示制御部１８は、表示位置の変更を停止するように表示器駆動部１２に指令する。こののちに表示制御部１８は、ステップＳｄ１の待ち受け状態に戻る。
【００５４】
このように、操作者が「ヅー」と発声している間、画像の表示位置が連続的に変更される。
【００５５】
操作者が「シュウリョウ」と発声したならば、表示制御部１８はこの表示位置変更処理を終了する。表示位置変更処理を終了したならば表示制御部１８は、図３のステップＳａ１の待ち受け状態に戻る。
【００５６】
さらに、表示制御部１８がステップＳｄ１の待ち受け状態にあるときに操作者が「ヅ」と発声した場合に、表示位置を一定量のみ変更方向に変更するようにしても良い。また操作者が「ミギイドウ」と発声した場合に表示位置を右へ一定量変更し、「ウエイドウ」と発声した場合に表示位置を一定量上に移動する等のようにしても良い。
【００５７】
なお、図示は省略するが、ステップＳａ１の待ち受け状態で表示制御部１８は、上記の６種類の音声コマンドの他に次のような音声コマンドも受け付ける。  
操作者が「プレビアスループ」と発声した場合、表示制御部１８は前の画像ループをアクティブペーンに表示するように表示器駆動部１２に指令する。  
操作者が「サイセイ」と発声した場合、表示制御部１８は画像の再生を開始するように表示器駆動部１２に指令する。  
操作者が「イチジテイシ」と発声した場合、表示制御部１８は画像の再生を一時停止するように表示器駆動部１２に指令する。  
操作者が「ネクストループ」と発声した場合、表示制御部１８は次の画像ループをアクティブペーンに表示するように表示器駆動部１２に指令する。  
操作者が「ネクストフレーム」と発声した場合、表示制御部１８は一時停止中の画像を１フレーム次の画像に移動するように表示器駆動部１２に指令する。
【００５８】
ところで、「ヅー」という操作用音声は、音声登録部１４の機能を利用して操作者により任意の音声に変更できる。すなわち、操作者が画像ビューワ１を登録モードに設定した上で操作用音声としたい音声をマイクロホン１３に向けて発生すれば、音声登録部１４により記憶部１５に記憶されている操作用音声の情報が更新される。これにより、「スー」のような任意の音声により画像の連続操作を行うことができるようになる。
【００５９】
以上のように本実施形態によれば、操作者が「ヅー」と発声している間に、表示速度の変更、コマ送り、輝度レベルの変更、コントラストレベルの変更、ズーム倍率の変更、あるいは表示位置の変更を連続的に行うことができる。これにより、表示画像を連続的にスムーズに変化させることができる。
【００６０】
この実施形態は、次のような種々の変形実施が可能である。  
表示速度変更処理、コマ送り処理、ブライトネス変更処理、コントラスト変更処理、ズーム倍率変更処理および表示位置変更処理の最中に操作者がこれらの各処理の起動を指定する「ソクドチョウセイ」などの音声コマンドを発生した場合には、この発声された音声コマンドに対応する処理に直接的に移行するようにしても良い。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６２】
【図１】本発明の一実施形態に係る画像ビューワの構成を示すブロック図。
【図２】コンソール１７の外観の一例を示す図。
【図３】音声に基づく表示中画像の制御のための表示制御部１８の処理手順を示すフローチャート。
【図４】表示速度変更処理における表示制御部１８の処理手順を示すフローチャート。
【図５】コマ送り処理における表示制御部１８の処理手順を示すフローチャート。
【図６】表示位置変更処理における表示制御部１８の処理手順を示すフローチャート。
【符号の説明】
【００６３】
１…画像ビューワ、２…線診断装置、３…画像サーバ、１１…表示器、１２…表示器駆動部、１３…マイクロホン、１４…音声登録部、１５…記憶部、１６…音声認識部、１７…コンソール、１８…表示制御部。
【図１】
2005328963.tif 000003
【図２】
2005328963.tif 000004
【図３】
2005328963.tif 000005
【図４】
2005328963.tif 000006
【図５】
2005328963.tif 000007
【図６】
2005328963.tif 000008